(57)【特許請求の範囲】
【請求項１】
排水立管路を形成する他の配管材の下端部が挿入される受口を上端部に有する継手本体と、
前記受口内に装着され、前記受口内に差し込まれた前記他の配管材の下端部に水密に外嵌されるゴム輪とを備える排水立管路用の管継手であって、
前記継手本体が、点検口となる横引き管接続部、または、配管試験口を中間部に備え、
前記ゴム輪が、筒状をした本体部と、この本体部の一端から他端に向かって徐々に縮径する略ラッパ状をした前記受口に挿入される配管材の下端部の外壁面に水密に密着するリップ部とを備え、
前記本体部は、下端部が前記リップ部を介して本体部内に入り込んだ他の配管材を管継手に対して正しい姿勢を保持するように配管材の外壁面を支持する３本以上のリブが、本体部の中心軸に平行かつ本体部の周方向に放射状に内壁面から突設されていて、
前記リブは、配管材の挿入方向奥側に向かって本体部の内壁面からの高さが徐々に高くなるテーパ部をその上端に備えていることを特徴とする管継手。
【請求項２】
リブは、各リブの本体部内壁面からの高さの最高点を通る仮想円の径が他の配管材の下端部の外径の１０５％〜９５％となるように形成されている請求項１に記載の管継手。
【発明の詳細な説明】
【技術分野】
【０００１】
本発明は、排水立管用管継手に関する。
【背景技術】
【０００２】
アパートやマンション等の集合住宅においては、トイレ・浴槽等の排水機器からの排水を横引き管にて排水立管路に導いている。排水立管路は、例えば建築物に設けられたパイプシャフト内に配置されており、そのパイプシャフト内において排水立管用パイプ同士または排水立管用パイプが管継手を介して接続されている。
【０００３】
従来、排水立管用パイプ等の配管材の接続においては、下階に設置された管継手の上部に上階より配管材を降ろして、その下端部を管継手に接続するという配管方法がとられる場合がある。
【０００４】
このような配管方法に用いる管継手として、図５に示すように、上階から下ろされる排水立管用パイプや他の管継手（図示せず）の下端部が上方から差し込まれる受口２１０を有する継手本体２００と、受口２１０内に装着され、受口２１０に差し込まれた排水立管の下端部に水密に外嵌されるゴム輪３００とを有する管継手１００がある（たとえば、特許文献１参照）。
また、ゴム輪３００は、筒状をした本体部３１０と、この本体部３１０の一端側に設けられ、配管材の下端部を弾性変形しながら挿入可能で、この挿入により、配管材の下端部外壁面に水密に密着するリップ部３２０と、挿入された配管材の下端部を支持して、配管材の姿勢を一定に保つようにする環状リブ３３０とを備えている。
【０００５】
すなわち、この管継手１００の場合、上方から下ろされる配管材の下端部を受口２１０に差し込むだけでゴム輪によってワンタッチで配管材と管継手とが水密に接続されるため、フランジ付き管継手を用いた配管方法に比べて固定ボルトの挿通孔を合わせるなどの手間がなく、接続が極めて容易であるという利点がある。
【０００６】
【特許文献１】特開２００２−３０３３８７号公報
【発明の開示】
【発明が解決しようとする課題】
【０００７】
しかしながら、従来の上記ゴム輪３００を備えた管継手１００においては、環状リブ３３０によって配管材の下端部を支持するようにしているので、ゴム輪の軸と管継手に接続される配管材の軸とを一致させ、かつ、垂直状態を保ちながら配管材の下端部を受口に挿入していかないと、図6に示すように、配管材５００が管継手１００の軸に対して傾いた状態で接続された排水立管路４００が形成されてしまう場合がある。そして、このように、配管材５００が傾いた状態の排水立管路４００に排水を流下させると、排水の曲がり部への衝突によって配管に振動が発生したり、排水立管路４００内の圧力変動が大きくなり、横引き管に接続された排水機器のウオータートラップの破封を招き、室内へ排水の汚臭が入り込んだりする虞がある。
【０００８】
本発明は、上記事情に鑑みて、常に、配管材の管端部をスムーズに、かつ、配管材が正しい姿勢を保持した状態で管継手に接続できるゴム輪を用いた排水立管用管継手を提供することを目的としている。
【課題を解決するための手段】
【０００９】
上記目的を達成するために、本発明にかかる排水立管用管継手は、排水立管路を形成する他の配管材の下端部が挿入される受口を上端部に有する継手本体と、前記受口内に装着され、前記受口内に差し込まれた前記他の配管材の下端部に水密に外嵌されるゴム輪とを備える排水立管路用の管継手であって、
前記継手本体が、点検口となる横引き管接続部、または、配管試験口を中間部に備え、
前記ゴム輪が、筒状をした本体部と、この本体部の一端から他端に向かって徐々に縮径する略ラッパ状をした前記受口に挿入される配管材の下端部の外壁面に水密に密着するリップ部とを備え、
前記本体部は、下端部が前記リップ部を介して本体部内に入り込んだ他の配管材を管継手に対して正しい姿勢を保持するように配管材の外壁面を支持する３本以上のリブが、本体部の中心軸に平行かつ本体部の周方向に放射状に内壁面から突設されていて、
前記リブは、配管材の挿入方向奥側に向かって本体部の内壁面からの高さが徐々に高くなるテーパ部をその上端に備えていることを特徴としている。
【００１１】
本発明のゴム輪において、リブの幅は、広すぎると他の配管材の接続時に抵抗となり配管材の接続が困難になり、狭すぎると配管材の下端部をうまく保持出来ないため、０．１ｍｍ〜２０ｍｍが好ましい。
リブの本数は、少なくとも３本以上であることが好ましい。
【００１２】
リブの高さは、接続される管の外径に対して、低いと管を保持出来ず、高いと接続時の抵抗となるため、各リブの最高点をとおる仮想円の径が、接続される配管材の下端部の外径の１０５％〜９５％となる高さとすることが好ましく、１０２％〜９９％となる高さとすることがより好ましい。
リブの長さは、短すぎると、接続される配管材の下端部をうまく保持出来ず、長いと配管材接続時に抵抗となり配管材の接続が困難になるため、配管材の下端部の外径に対して、５％〜３０％が好ましい。
【発明の効果】
【００１３】
本発明にかかるゴム輪は、以上のように、リップ部を介してゴム輪内に入り込んだ配管材の管軸と、前記受口の管軸とが一致するように、配管材の外壁面を支持する本体部の軸に平行な3本以上のリブが、本体部内壁面に放射状に突設されているので、配管材の管端部がリブに引っかかることなく、リブにガイドされながら本体部内にされる。したがって、常に、配管材を管継手に正しい姿勢でワンタッチに接続することができる。
【００１４】
また、本発明にかかる管継手は、排水立管路を形成する他の配管材の下端部が上方から差し込まれる受口を有する継手本体と、前記受口内に装着された請求項１に記載のゴム輪とを備えるので、各配管材が垂直に接続された排水立管路を容易かつ正確に得ることができる。
【発明を実施するための最良の形態】
【００１５】
以下に、本発明を、その実施の形態をあらわす図面を参照しつつ詳しく説明する。
図１は、本発明にかかる排水立管用管継手の第１の実施の形態をあらわしている。
【００１６】
図１に示すように、この管継手１ａは、継手本体２ａと、ゴム輪３とを備えている。
継手本体２ａは、鋳鉄や合成樹脂で形成されていて、上端部に受口２１、中間部にフランジ２２ａを有する点検口としても使用される横引き管接続部２２、下端部にフランジ２３ａを有する管接続部２３とを備えている。
【００１７】
受口２１は、後述するゴム輪３の装着部２１ａを有するとともに、この装着部２１ａより上方に３つのねじ孔２１ｂが継手本体２ａの中心軸に向かって放射状に穿設されていて、図示していないが、各ねじ孔２１ｂに継手本体２ａの外側から蝶ねじが螺合している。
ゴム輪３は、スチレン−ブタジエンゴム（ＳＢＲ）やクロロプレンゴム（ＣＲ）、エチレン−プロピレンゴム（ＥＰＤＭ）等の合成ゴムによって形成されていて、図２に示すように、本体部３１と、リップ部３２と、管端受け部３３とを備えている。
【００１８】
本体部３１は、その内径が一端（リップ部３２側）の大内径部３１ａから第１縮径部３１ｂ、第２縮径部３１ｃを経て他端（管端受け部３３）の小内径部３１ｄまで段階的に縮径する筒状をしている。
小内径部３１ｄは、その内径が受口２１に挿入される他の配管材の下端部の外径より少し大径になっている。
【００１９】
また、第２縮径部３１ｃの下端部から小内径部３１ｄの下端にかけて本体部３１の中心軸に平行な３６本のリブ３４が等間隔で放射状に設けられている。
各リブ３４は、その配管材の挿入側がテーパ部３４aになっているとともに、その他の部分の小内径部壁面からの高さが、各リブ３４の最高点を通る仮想円の径が受口２１に挿入される他の配管材の下端部の外径の１０５％〜９５％となる高さに形勢され、その幅が０．１ｍｍ〜２０ｍｍ、その長さが配管材の下端部の外径に対して、５％〜３０のとなっている。
【００２０】
また、本体部３１は、一端部３１ｅの外径が他端部３１ｆの外径より大径になっているとともに、一端部３１ｅの外周面に受口２１に装着された状態で受口２１からの離脱を防止する３条の抜け止めリブ３１ｇが突設されている。
【００２１】
リップ部３２は、本体部３１の一端から他端に向かって徐々に小径化するロート状になっていて、その最小径部の内径が受口２１に挿入される他の配管材の下端部の外径より小径になっている。
【００２２】
管端受け部３３は、本体部３１の他端で本体部３１の内側に向かって全周にわたって内側に均等に張り出していて、その内径が受口２１に挿入される他の配管材の下端部の外径より小さく、他の配管材の下端部の内径より少し大きいかほぼ同径になっている。
【００２３】
この管継手１ａは、上記のようになっており、以下のようにして、上方から排水立管路を形成する他の配管材が接続されるようになっている。
【００２４】
すなわち、各蝶ねじをその先端が受口２１の内壁面に突出しない程度にねじ孔２１ｂに螺合した状態で管継手１ａをパイプシャフト（図示せず）内の所定階にセットしたのち、上階から排水立管を降ろして、他の配管材の下端部をゴム輪３のリップ部３２を押し広げつつ、管端受け部３３にほぼ当たるまで管継手１ａの受口２１に挿入する。
その後、ねじ先端が他の配管材の下端部の外壁面に当接するまで各蝶ねじを締め込み、接続を完了する。
【００２５】
以上のように、この管継手１ａによれば、従来のワンタッチ式管継手と同様に、上方から他の配管材の下端部を受口２１内に挿入すれば、他の配管材の下端部が受口２１内のゴム輪３内に嵌り込み他の配管材と管継手１ａとがワンタッチで水密に接続できる。
しかも、本体部３１の中心軸に平行な３６本のリブ３４が小内径部３１ｄの内壁面に放射状に設けられているので、配管材の下端部がリブに引っかかることなく、リブ３４にガイドされながら本体部３１内にされる。したがって、常に、配管材を管継手１aに正しい姿勢でワンタッチに接続することができる。
【００２６】
また、継手本体２ａが、ゴム輪３の上端より上方に、継手本体２ａの内外に貫通する３つのねじ孔２１ｂを継手本体２ａの周方向に放射状に備えているので、配管材の下端部を受口２１の所定位置まで挿入したのち、継手本体の外側から蝶ねじを締め込み、その先端を配管材の下端部外壁面に圧接するようにすれば、配管材の下端部と継手本体とがしっかりと固定され、排水による接続部での振動を防止できる。
【００２７】
図３は、本発明にかかる排水立管用管継手の第２の実施の形態をあらわしている。
図３に示すように、この管継手１ｂは、横引き管接続部２２に代えて、継手本体２ｂに配管試験口２４が設けられている以外は、上記管継手１ａと同様になっている。
【００２８】
以下に、本発明の具体的な実施例を詳しく説明する。
【００２９】
（実施例１）
各部の寸法が図４に示すとおりであるとともに、リブ３４の本数が１２本、リブ３４の長さが１５ｍｍ、リブ３４の幅が３０ｍｍ、リブ３４の高さが各リブ３４の最高点を通る仮想円の径が８８．５ｍｍとなるようにリブ３４が形成されたゴム輪３を備えた図□に示すような管継手１ａおよび管継手１ｂと、８０Ａの一端フランジ付直管（外径８９．１ｍｍ）５とを用いて試験用排水立管路Ａを作製した。
また、各蝶ねじは、その先端が直管５の外壁面に圧接されるまで締め込んでおいた。
【００３０】
（実施例２）
蝶ねじを締め込まなかった以外は、上記実施例１と同様に試験排水立管路Ａを作製した。
【００３１】
（比較例１）
コム輪としてリブ３４がまったくないものを用いた以外は、上記実施例２と同様に試験排水立管路Ａを作製した。
【００３２】
上記実施例１，２で得られた試験排水立管路Ａは、いずれも図４に示すように、上下のフランジ付き直管５がすべて鉛直線上に並んで配管されたが、比較例１の試験排水立管路Ａは、フランジ付き直管５の軸と管継手１ａの軸、あるいは、フランジ付き直管５の軸と管継手１ｂの軸が最大で０・７５度角度がずれた（高さ３ｍあたり３ｃｍ〜４ｃｍの横方向へずれた）状態の図６に示すような途中で折れ曲がったような立管路となっていた。
【００３３】
上記実施例１、２および比較例１で作製した試験排水立管路Ａの管継手１ｂ部分に水平方向に手で加重をかけたときの試験排水立管路の水平方向への振れ幅と、上記実施例１および比較例１で作製した試験排水立管路に７．５Ｌ／ｓの流下速度で排水を流した場合の振動値を測定し、その結果を表１に示した。なお、振動値は、管継手１ｂの上端から２０ｃｍ上方において、直管５の外壁面に振動ピックアップ（リオン社製圧電式加速ピックアップＰＶ−８５）を取り付け、振動計（リオン社製１／３オクターブ実時間分析器ＳＡ−２０）を用いて測定した。
【００３４】
【表１】
0004778801.tif 000002
【００３５】
本発明にかかる排水立管用管継手は、上記の実施の形態に限定されない。たとえば、上記の実施の形態では、ゴム輪に管端受け部が設けられていたが、継手本体側に管端受け部を設ければ、ゴム輪に管端受け部を設ける必要はない。
【図面の簡単な説明】
【００３６】
【図１】本発明にかかる管継手の第１の実施の形態をあらわし、同図（ａ）はその正面図、同図（ｂ）は同図（ａ）のＩ−Ｉ線断面図、同図（ｃ）は同図（ａ）のII−II線断面図、同図（ｄ）は同図（ｂ）のIII−III線断面図である。
【図２】図１の管継手のゴム輪をあらわし、同図（ａ）はその縦断面図、同図（ｂ）は同図（ａ）のIV−IV線断面図である。
【図３】本発明にかかる管継手の第２の実施の形態をあらわし、同図（ａ）はその正面図、同図（ｂ）は同図（ａ）のＶ−Ｖ線断面図、同図（ｃ）は同図（ａ）のVI−VI線断面図、同図（ｄ）は同図（ｂ）のVII−VII線断面図である。
【図４】実施例で作製した試験排水立管路の各部の寸法図である。
【図５】従来の管継手の受口部断面図である。
【図６】排水立管路の1例を説明する説明図である。
【符号の説明】
【００３７】
Ａ  排水立管路
１ａ，１ｂ  管継手
２  継手本体
２１  受口
３  ゴム輪
３１  本体部
３２  リップ部
３４  リブ
【図１】
0004778801.tif 000003
【図２】
0004778801.tif 000004
【図３】
0004778801.tif 000005
【図４】
0004778801.tif 000006
【図５】
0004778801.tif 000007
【図６】
0004778801.tif 000008